(57)【要約】【課題】薄型の光ピックアップ装置においてもリジッド基板を用いる。【解決手段】底面及び前記底面を囲む側面を有し、上面が開放されたハウジングと、前記ハウジング内に装着され、光ディスクに対する情報の記録及び読み出しを行なうためのレーザ光を前記底面に沿った方向に発光するレーザユニットと、前記ハウジング内に装着され、前記レーザ光の光路上に配置される光学部品と、前記レーザユニットに前記上面の側から重なるように前記ハウジングに装着され、前記レーザユニットを駆動するための駆動信号を前記レーザユニットに伝達する導電路が形成されたリジッド基板と、を備え、前記リジッド基板は、前記底面に相対する面が前記レーザユニットの上端部よりも前記底面に近接するように前記ハウジングに装着されることを特徴とする光ピックアップ装置。【選択図】図８
2015167056.tif 000002
【特許請求の範囲】
【請求項１】
底面及び前記底面を囲む側面を有し、上面が開放されたハウジングと、
前記ハウジング内に装着され、光ディスクに対する情報の記録及び読み出しを行なうためのレーザ光を前記底面に沿った方向に発光するレーザユニットと、
前記ハウジング内に装着され、前記レーザ光の光路上に配置される光学部品と、
前記レーザユニットに前記上面の側から重なるように前記ハウジングに装着され、前記レーザユニットを駆動するための駆動信号を前記レーザユニットに伝達する導電路が形成されたリジッド基板と、
を備え、
前記リジッド基板は、前記底面に相対する面が前記レーザユニットの上端部よりも前記底面に近接するように前記ハウジングに装着される
ことを特徴とする光ピックアップ装置。
【請求項２】
請求項１に記載の光ピックアップ装置であって、
前記リジッド基板は、前記レーザユニットと対面する部分に、前記レーザユニットの上端部を貫通可能に開口された貫通穴が形成され、前記レーザユニットの前記上端部が前記貫通穴を貫通した状態で前記ハウジングに固定される
ことを特徴とする光ピックアップ装置。
【請求項３】
請求項１に記載の光ピックアップ装置であって、
前記リジッド基板は、前記レーザユニットと対面する部分に、前記レーザユニットの上端部が挿入可能な凹部が形成され、前記レーザユニットの前記上端部が前記凹部に挿入された状態で前記ハウジングに固定される
ことを特徴とする光ピックアップ装置。
【請求項４】
請求項１に記載の光ピックアップ装置であって、
前記リジッド基板は、前記ハウジングに装着される際に前記レーザユニットを迂回するような切れ込み部が形成されてなる
ことを特徴とする光ピックアップ装置。
【請求項５】
請求項１〜４のいずれかに記載の光ピックアップ装置であって、
前記レーザユニットは、前記駆動信号が入力される入力端子を有し、前記入力端子が前記ハウジングの前記底面に沿った方向に延伸するように前記ハウジングに装着され、
前記リジッド基板が前記ハウジングに装着される際に、前記リジッド基板の前記導電路と前記レーザユニットの前記入力端子とが半田付けされてなる
ことを特徴とする光ピックアップ装置。
【請求項６】
請求項５に記載の光ピックアップ装置であって、
前記ハウジングには、前記入力端子を前記導電路に半田付けするために開口された開口部が前記底面に形成されてなる
ことを特徴とする光ピックアップ装置。
【請求項７】
請求項１〜６のいずれかに記載の光ピックアップ装置であって、
前記リジッド基板は、前記底面に相対する面とは反対側の面に、前記駆動信号を出力する制御回路に接続されるフレキシブルプリント基板を着脱自在に接続可能なコネクタを備えてなる
ことを特徴とする光ピックアップ装置。
【発明の詳細な説明】
【技術分野】
【０００１】
本発明は、光ディスクに記録されている信号の読み出し動作や光ディスクに信号の記録動作を行う光ピックアップ装置に関する。
【背景技術】
【０００２】
近年の技術進歩に伴って、ＤＶＤ(Digital Versatile Disc)やＣＤ（Compact Disc）等の光ディスクに対してレーザ光を用いて光学的に信号の記録再生を行う光ピックアップ装置の薄型化が進んでいる。  
例えば、一般的にスリムタイプと呼ばれる光ピックアップ装置の場合は、厚さが12.7mmであり、ウルトラスリムタイプと呼ばれる光ピックアップ装置の場合は、厚さが9.5mmである。  
また薄型の光ピックアップ装置に関して様々な技術が開発されている（例えば特許文献１参照）。
【先行技術文献】
【特許文献】
【０００３】
【特許文献１】特開２０１０−０７３２２９号公報
【発明の概要】
【発明が解決しようとする課題】
【０００４】
スリムタイプやウルトラスリムタイプのようないわゆる薄型の光ピックアップ装置では、所定高さ（12.7mmや9.5mm）のハウジング内に、レンズやミラー等の光学部品の他、これらの光学部品を用いて光ディスクに対する情報の記録や読み出しを行なうためのレーザユニット等の電子部品、さらに、各電子部品を電気的に接続するための導電路が形成されたプリント基板等が高密度に収納されて構成される。  
そしてこれらの薄型の光ピックアップ装置では、ミリ単位の厚さを有するリジッド基板を用いることは困難であり、厚さ数十マイクロメートル程度のフレキシブルプリント基板（以下、ＦＰＣ（Flexible Printed Circuit）とも記載する）が用いられている。  
ところがＦＰＣは、リジッド基板に比べて傷や破損を生じやすく、コストも割高であるため、スリムタイプやウルトラスリムタイプのような薄型の光ピックアップ装置においてもリジッド基板を用いることを可能にする技術が望まれている。
【０００５】
本発明は上記課題を鑑みてなされたものであり、スリムタイプやウルトラスリムタイプのような薄型の光ピックアップ装置においても、リジッド基板を用いることを可能にすることを一つの目的とする。
【課題を解決するための手段】
【０００６】
一つの側面に係る光ピックアップ装置は、底面及び前記底面を囲む側面を有し、上面が開放されたハウジングと、前記ハウジング内に装着され、光ディスクに対する情報の記録及び読み出しを行なうためのレーザ光を前記底面に沿った方向に発光するレーザユニットと、前記ハウジング内に装着され、前記レーザ光の光路上に配置される光学部品と、前記レーザユニットに前記上面の側から重なるように前記ハウジングに装着され、前記レーザユニットを駆動するための駆動信号を前記レーザユニットに伝達する導電路が形成されたリジッド基板と、を備え、前記リジッド基板は、前記底面に相対する面が前記レーザユニットの上端部よりも前記底面に近接するように前記ハウジングに装着される。
【０００７】
その他、本願が開示する課題、及びその解決方法は、発明を実施するための形態の欄の記載、及び図面の記載等により明らかにされる。
【発明の効果】
【０００８】
スリムタイプやウルトラスリムタイプのような薄型の光ピックアップ装置においても、リジッド基板を用いることが可能になる。
【図面の簡単な説明】
【０００９】
【図１】光ピックアップ装置の外観構成を示す図である。
【図２】光ピックアップ装置の内部構成を示す図である。
【図３】光ピックアップ装置の内部構成を示す図である。
【図４】光ピックアップ装置の光学系を説明するための図である。
【図５】光ピックアップ装置の光学系を説明するための図である。
【図６】レーザユニットの外観構成を示す図である。
【図７Ａ】レーザユニットがハウジングに収容される様子を示す図である。
【図７Ｂ】レーザユニットがハウジングに収容される様子を示す図である。
【図７Ｃ】レーザユニットがハウジングに収容される様子を示す図である。
【図８】光ピックアップ装置の内部構成を示す図である。
【図９】レーザユニットがリジッド基板に半田付けされる様子を示す図である。
【発明を実施するための形態】
【００１０】
本明細書および添付図面の記載により、少なくとも以下の事項が明らかとなる。
【００１１】
＝＝光ピックアップ装置の全体構成＝＝
本発明の実施形態における光ピックアップ装置１０００の外観構成を図１に示す。また光ピックアップ装置１０００の分解斜視図を図２に示す。また光ピックアップ装置１０００の内部構成を図３に示す。また光ピックアップ装置１０００の光学系の構成を図４及び図５に示す。
【００１２】
光ピックアップ装置１０００は、光ディスク５に所定波長のレーザ光を照射することにより、光ディスク５に記録されている信号の読み出し動作や光ディスク５に信号の記録動作を行う装置である。
【００１３】
光ディスク５は、例えばＢＤ（Blu-ray（登録商標、以下同様））規格の光ディスク、ＤＶＤ（Digital Versatile Disc）規格の光ディスク、ＣＤ（Compact Disc）規格の光ディスク等である。
【００１４】
詳細は後述するが、本実施形態に係る光ピックアップ装置１０００は、図１及び図２に示すように、底面と、底面を囲む側面と、を有すると共に、上面が開放されたハウジング３００内の所定位置に、レーザ光を発光するレーザユニット１００や、複合光学素子２１０、偏光ビームスプリッタ２２０、１／４波長板２３０、コリメートレンズ２４０、反射ミラー２５０、ＡＳ（AStigmatism）板２７０、対物レンズ駆動装置４００、第１放熱板５００、第２放熱板６００、プリント基板７００等を収容した上で、ハウジング３００の上面にカバー８００を装着し、カバー８００とハウジング３００とをビス３０１で固定して構成される。
【００１５】
第１放熱板５００及び第２放熱板６００は、レーザユニット１００等の発熱源から発生する熱を効果的に放熱するための金属板である。
【００１６】
またプリント基板７００は、図２に示されるように、リジッド基板で構成されるリジッド基板部７１０と、フレキシブルプリント基板（ＦＰＣ）で構成されるフレキシブル基板部７２０とを有して構成されている。リジッド基板部７１０及びフレキシブル基板部７２０は、それぞれに導電路が形成されているが、各導電路は電気的に適宜接続されており、プリント基板７００全体で統一的な導電路となるように形成されている。
【００１７】
またリジッド基板部７１０にはコネクタ７３０が装着されている。コネクタ７３０には、プリント基板７００に形成される各導電路とそれぞれ結合される端子が設けられている。図１に示すように、コネクタ７３０には、光ピックアップ装置１０００の制御回路が形成される光ディスク装置内のリジッド型プリント基板のメイン基板２０００に電気的に接続されるフレキシブルプリント基板である制御回路用ＦＰＣ２１００が着脱自在に接続される。
【００１８】
またフレキシブル基板部７２０には、図２に示すように、後述する光検出器２８０やフロントモニタ受光検出器２９０が接続される。光検出器２８０及びフロントモニタ受光検出器２９０は、レーザユニット１００から出射されたレーザ光を受光する光センサを有して構成されている。光検出器２８０及びフロントモニタ受光検出器２９０は、検出したレーザ光の強度に応じた信号を、コネクタ７３０に接続された制御回路用ＦＰＣ２１００を介して、メイン基板２０００に伝達する。
【００１９】
また詳細は後述するが、リジッド基板部７１０には、レーザユニット１００と対面する部分に基板開口部（貫通穴）７１１が形成されている。
【００２０】
ハウジング３００は、底面と、底面を囲む側面と、を有すると共に、上面が開放されており、例えばマグネシウム合金等の金属、あるいはＰＰＳ（ポリフェニレンサルファイド）等の合成樹脂により形成される。
【００２１】
なお図１において、Ｚ軸は光ディスク５の回転中心軸５０の方向に沿う軸であり、光ピックアップ装置１０００から光ディスク５に向かう向きを＋Ｚ方向とする。Ｘ軸は光ディスク５の中心から外周に向かう向きのうち、光ピックアップ装置１０００が光ディスク５のトラッキング方向に移動する方向に沿う軸であり、光ディスク５の中心から離れる方向を＋Ｘ方向とする。Ｙ軸は、Ｚ軸及びＸ軸に直交する軸であり、光ディスク５のタンジェンシャル方向に沿った軸である。
【００２２】
＝＝光学系＝＝
本実施形態における光ピックアップ装置１０００の光学系について、図３〜図５を参照しながら説明する。
【００２３】
本実施形態の光ピックアップ装置１０００は、一例として、ＤＶＤ規格の光ディスク５及びＣＤ規格の光ディスク５に対して記録や再生を行う。
【００２４】
そのため、レーザユニット１００は、ＤＶＤ規格の光ディスク５に対する記録、再生を行なう場合には、ＤＶＤ規格に対応した赤色波長帯（６４５ｎｍ〜６７５ｎｍ）のうち例えば６５５ｎｍの波長のレーザ光（第１レーザ光とも記す）を出射し、ＣＤ規格の光ディスク５に対する記録、再生を行なう場合には、ＣＤ規格に対応した赤外波長帯（７６５ｎｍ〜８０５ｎｍ）のうち例えば７８５ｎｍの波長のレーザ光（第２レーザ光とも記す）を出射する。つまりレーザユニット１００は、波長が異なる２種類のレーザ光（第１レーザ光、第２レーザ光）のうちのいずれか一方を選択的に出射する。
【００２５】
レーザユニット１００は、メイン基板２０００から出力される駆動信号に従って、第１レーザ光あるいは第２レーザ光のいずれか一方を選択的に出力する。
【００２６】
レーザユニット１００から出射されたレーザ光は、光ピックアップ装置１０００のハウジング３００内に収容される各種光学部品２００（２１０〜２９０）により、対物レンズ２６０から光ディスク５に照射された後、その反射光が光検出器２８０に導かれる。
【００２７】
本実施形態における光ピックアップ装置１０００の光学系を構成する光学部品２００がハウジング３００に収容される様子を図３に示す。
【００２８】
具体的には、図３には、ハウジング３００内に、レーザユニット１００、複合光学素子２１０、偏光ビームスプリッタ２２０、１／４波長板２３０、コリメートレンズ２４０、反射ミラー２５０（図３には不図示）、対物レンズ２６０、ＡＳ板２７０、光検出器２８０、及びフロントモニタ受光検出器２９０が装着されている様子が示されている。
【００２９】
本実施形態における光ピックアップ装置１０００の光学系を図４、図５を参照しながら説明する。
【００３０】
レーザユニット１００は、上述したように、ＤＶＤ規格の光ディスク５に照射する赤色波長帯（６４５ｎｍ〜６７５ｎｍ）のうち例えば６５５ｎｍの波長と、ＣＤ規格の光ディスク５に照射する赤外波長帯（７６５ｎｍ〜８０５ｎｍ）のうち例えば７８５ｎｍの波長のように、波長が異なる２種類のレーザ光のうちのいずれか一方を選択的に発生する。
【００３１】
レーザユニット１００は、後述するレーザチップ１１０を有して構成されている。そしてレーザチップ１１０に、第１レーザ光を発生する第１発光部を有する第１レーザダイオード１１１と、第２レーザ光を発生する第２発光部を有する第２レーザダイオード１１２とが形成されている。
【００３２】
レーザユニット１００から選択的に出射された第１あるいは第２レーザ光は、複合光学素子２１０に入射される。複合光学素子２１０は、１／２波長板２１１と回折格子２１２とを備える。
【００３３】
１／２波長板２１１は、レーザユニット１００から出射されたレーザ光を、例えば偏光ビームスプリッタ２２０に対してＳ偏光の直線偏光に変換する。
【００３４】
回折格子２１２は、レーザユニット１００から出射されたレーザ光を、０次光ビームと、＋１次回折光ビームと、−１次回折光ビームとの３ビームに分離する。
【００３５】
偏光ビームスプリッタ２２０は、例えば、赤色波長帯及び赤外波長帯のＳ偏光のレーザ光の大部分を反射し、赤色波長帯及び赤外波長帯のＳ偏光のレーザ光の一部を透過する。また偏光ビームスプリッタ２２０は、例えば、赤色波長帯及び赤外波長帯のＰ偏光のレーザ光の大部分を透過する。
【００３６】
そのため、偏光ビームスプリッタ２２０は、複合光学素子２１０から入射する赤色波長帯又は赤外波長帯のＳ偏光のレーザ光の大部分を１／４波長板２３０の方向に反射し、一部をフロントモニタ受光検出器２９０の方向に透過する。
【００３７】
フロントモニタ受光検出器２９０は、偏光ビームスプリッタ２２０を透過したレーザ光を受光して、レーザユニット１００から出射されるレーザ光の強度を調整するために用いられる光学部品である。フロントモニタ受光検出器２９０は、検出したレーザ光の強度に応じて変化するモニタ信号を、フレキシブル基板部７２０及びリジッド基板部７１０に形成される導電路を経由してコネクタ７３０の所定の端子に出力する。そしてモニタ信号は、コネクタ７３０に接続された制御回路用ＦＰＣ２１００を経由して、メイン基板２０００に伝達される。
【００３８】
メイン基板２０００の制御回路は、このモニタ信号に基づいて、レーザユニット１００から出力されるレーザ光が所定強度になるように駆動信号を出力する。この駆動信号は、メイン基板２０００から制御回路用ＦＰＣ２１００を経由してコネクタ７３０の所定端子に入力され、リジッド基板部７１０に装着されているレーザドライバ（不図示）を経由してレーザユニット１００に入力される。
【００３９】
１／４波長板２３０は、偏光ビームスプリッタ２２０から入射するレーザ光を、Ｓ偏光の直線偏光から円偏光に変換する。又１／４波長板２３０は、コリメータレンズ２４０から入射するレーザ光の戻り光を、円偏光からＰ偏光の直線偏光に変換する。
【００４０】
コリメートレンズ２４０は、１／４波長板２３０から拡散光として入射するレーザ光を平行光に変換する。
【００４１】
反射ミラー２５０は、コリメートレンズ２４０から入射するレーザ光を、対物レンズ２６０の方向に反射する。又、反射ミラー２５０は、対物レンズ２６０から入射するレーザ光の戻り光をコリメートレンズ２４０の方向に反射する。
【００４２】
対物レンズ２６０は、反射ミラー２５０から入射したレーザ光を、光ディスク５の記録面における信号記録層に集光する。
【００４３】
対物レンズ２６０は、図２に示すように、対物レンズ駆動装置４００に保持されている。対物レンズ駆動装置４００は、アクチュエータ４１０及びレンズホルダ４２０を備えており、光ピックアップ装置１０００を制御するメイン基板２０００の制御回路から送信される制御信号に基づいて、アクチュエータ４１０がレンズホルダ４２０の位置や向きを制御することで、レンズホルダ４２０に装着される対物レンズ２６０を通過するレーザ光が光ディスク５の信号記録層に適切に照射されるようにフォーカシング制御やトラッキング制御等の制御を行なう。
【００４４】
光ディスク５の信号記録層で反射したレーザ光の戻り光は、対物レンズ２６０によって平行光に変換された後、反射ミラー２５０を介してコリメートレンズ２４０を透過し、１／４波長板２３０によって円偏光からＰ偏光の直線偏光に変換される。
【００４５】
Ｐ偏光となったレーザ光の戻り光は、偏光ビームスプリッタ２２０を透過してＡＳ板２７０に入射する。
【００４６】
ＡＳ板２７０は、偏光ビームスプリッタ２２０を透過したレーザ光の戻り光に非点収差を発生させて光検出器２８０に集光させる。ＡＳ板２７０は、例えば平行平板を非点収差の発生方向を考慮した所定方向に傾けて構成されている。
【００４７】
光検出器２８０は、ＡＳ板２７０から入射されるレーザ光の戻り光を検出する。光検出器２８０は、回折格子２１２により３ビームに分離されたレーザ光の戻り光をそれぞれ受光する受光部を備えて構成されており、光ディスク５の信号記録層に記録されている情報の読み取りを行うための再生信号や、フォーカシング制御を行うためのフォーカスエラー信号、トラッキング制御を行うためのトラッキングエラー信号の生成を行う。これらの再生信号、フォーカスエラー信号、トラッキングエラー信号は、メイン基板２０００に伝達される。
【００４８】
以上のようにして、本実施形態の光ピックアップ装置１０００は、ＤＶＤの記録及び再生に対応すると共に、ＣＤの記録及び再生にも対応することができる。
【００４９】
＝＝レーザユニット＝＝
次に、図６を参照して本実施形態に係るレーザユニット１００について詳細に説明する。  
本実施形態に係るレーザユニット１００は、図６に示すように、フレーム部１２０と、樹脂モールド部１３０と、レーザチップ１１０と、サブマウント１５０と、第１端子１４１と、第２端子１４２と、第３端子１４３と、を有して構成されている。
【００５０】
なお、フレーム部１２０と、樹脂モールド部１３０と、レーザチップ１１０と、サブマウント１５０と、をまとめて本体部とも記す。この場合、レーザユニット１００は、本体部からレーザ光が発光されると共に、本体部から第１端子１４１、第２端子１４２、第３端子１４３が延伸する構造となる。
【００５１】
フレーム部１２０は金属製の略平板状の板により構成されており、誘電体により構成されるサブマウント１５０が貼付されている。そしてこのサブマウント１５０にはレーザチップ１１０が固定される。なおフレーム部１２０は、第２端子１４２を介して接地されている。
【００５２】
レーザチップ１１０は、例えばＧａＡｓ（ガリウム砒素）の結晶基板上に、第１レーザ光を発光する第１レーザダイオード１１１と、第２レーザ光を発光する第２レーザダイオード１１２とが形成されて構成される。
【００５３】
第１端子１４１及び第３端子１４３は、メイン基板２０００から出力されるレーザユニット１００の駆動信号を入力する入力端子である。第２端子１４２は接地されている。
【００５４】
また第１端子１４１、第２端子１４２、及び第３端子１４３は、樹脂モールド部１３０から、レーザ光の発光方向とは反対方向にそれぞれ延伸している。
【００５５】
また詳細は後述するが、レーザユニット１００がハウジング３００に装着され、その後にリジッド基板部７１０がレーザユニット１００に重なるようにハウジング３００に装着される際に、レーザユニット１００の第１端子１４１、第２端子１４２及び第３端子１４３は、それぞれリジッド基板部７１０に形成されている導電路に半田付けされる。そして第１端子１４１及び第３端子１４３は、制御回路用ＦＰＣ２１００を介してメイン基板２０００と導電可能に接続され、第２端子１４２は接地される。
【００５６】
レーザユニット１００は、メイン基板２０００から所定の駆動信号が第１端子１４１に入力されると、第１レーザダイオード１１１から赤色波長帯の第１レーザ光を出射する。またレーザユニット１００は、メイン基板２０００から所定の駆動信号が第３端子１４３に入力されると、第２レーザダイオード１１２から赤外波長帯の第２レーザ光を出射する。
【００５７】
樹脂モールド部１３０は、フレーム部１２０の両面の一部を覆うように形成される合成樹脂である。樹脂モールド部１３０は、第１端子１４１及び第３端子１４３を固定すると共に、第１端子１４１とフレーム部１２０との間、第３端子１４３とフレーム部１２０との間をそれぞれ絶縁する。
【００５８】
また樹脂モールド部１３０は、レーザチップ１１０の周囲において、レーザ光が発光される方向を除く３方を囲むように壁面を形成している。
【００５９】
なお上述したように、第２端子１４２とフレーム部１２０との間は導電可能に接続されており、例えば第２端子１４２とフレーム部１２０とは一体的に形成される。
【００６０】
＝＝レーザユニットの装着＝＝
次に、図７Ａ、図７Ｂ、図７Ｃを参照して、本実施形態に係るレーザユニット１００がハウジング３００に装着される様子について詳細に説明する。
【００６１】
図７Ａは、ハウジング３００にレーザユニット１００及びリジッド基板部７１０が装着された際の様子を、ハウジングの上面側から見た場合について示す図である。図７Ｂは、ハウジング３００にレーザユニット１００及びリジッド基板部７１０が装着された際の様子を、レーザチップ１１０の第１レーザダイオード１１１、第２レーザダイオード１１２に向かって見た場合について示す図である。図７Ｃは、ハウジング３００にレーザユニット１００及びリジッド基板部７１０が装着された際の様子を、レーザ光が図７Ｃの左向きに発光される方向から見た場合について示す図である。
【００６２】
上述したように、本実施形態に係る光ピックアップ装置１０００は、スリムタイプ、あるいはウルトラスリムタイプでありながら、リジッド基板から構成されるリジッド基板部７１０をハウジング３００に収容可能に構成されている。
【００６３】
まず図７Ａに示すように、レーザユニット１００のフレーム部１２０が搭載されるハウジング３００の底面の所定位置（２箇所）に形成された基準用突部３０３の近傍の所定位置（例えば４箇所）に、接着剤１７０が塗布される。
【００６４】
基準用突部３０３は、例えばハウジング３００を形成する際に一体的に形成される凸部であってもよいし、樹脂製や金属製の平板を接着剤等によりハウジング３００に固定することにより形成されたものであってもよい。
【００６５】
そして図７Ｂ、図７Ｃに示すように、レーザユニット１００のフレーム部１２０を上記接着剤１７０に接触させるようにして、レーザユニット１００を、ハウジング３００の底面３０２に装着する。このときレーザユニット１００は、レーザ光がハウジング３００の底面３０２に沿った方向（例えば−Ｘ方向）に発光するように装着されると共に、第１端子１４１、第２端子１４２、第３端子１４３がハウジング３００の底面３０２に沿った方向（例えば＋Ｘ方向）に延伸するように装着される。
【００６６】
ここで、レーザユニット１００を、ハウジング３００の底面３０２に装着する際、レーザユニット１００のフレーム部１２０の下面が当接されるハウジング３００の当接面にレーザユニット１００の高さ方向の基準用突部３０３が形成されることによりレーザユニット１００は、図７Ｂに示すように、ハウジング３００の下端部から光軸の中心までの距離がｈ２に設定される。
【００６７】
次に、リジッド基板部７１０を、レーザユニット１００に重ねるように、ハウジング３００の上面側から装着する。このとき、リジッド基板部７１０に開口する基板開口部７１１をレーザユニット１００の樹脂モールド部１３０の位置にあわせ、樹脂モールド部１３０の上端部１３１が基板開口部７１１を貫通するようにして、リジッド基板部７１０をハウジング３００に装着する。
【００６８】
本実施形態に係る光ピックアップ装置１０００は、このように、リジッド基板部７１０に基板開口部７１１を設け、そしてこの基板開口部７１１にレーザユニット１００を挿入するようにして、リジッド基板部７１０をハウジング３００に装着するので、図７Ｂに示すように、ハウジング３００の下端部からリジッド基板部７１０の上端部までの高さｈ１を抑制することができる。
【００６９】
つまり、本実施形態に係る光ピックアップ装置１０００は、リジッド基板を用いてもハウジング３００の高さ方向に高さを増大させないようにすることができるので、スリムタイプ、あるいはウルトラスリムタイプの光ピックアップ装置１０００であっても、リジッド基板を用いることが可能となる。
【００７０】
なおこのとき、図７Ｃに示すように、リジッド基板部７１０は、レーザユニット１００の第１端子１４１、第２端子１４２、第３端子１４３に接続されるようにハウジング３００に装着される。より詳しくは、レーザユニット１００の第１端子１４１、第２端子１４２、第３端子１４３のそれぞれが、リジッド基板部７１０上に形成されている３本の導電路にそれぞれ接続可能に、リジッド基板部７１０がハウジング３００に装着される。例えば、リジッド基板部７１０の導電路と第１端子１４１、第２端子１４２、第３端子１４３とが、コネクタを用いて接続、あるいは半田付けにより接続される。
【００７１】
本実施形態に係る光ピックアップ装置１０００では、第１端子１４１、第２端子１４２、第３端子１４３は、それぞれの導電路と半田１６０により半田付けされる。この半田付けの詳細については後述する。
【００７２】
この後、ハウジング３００内に別途それぞれ装着される偏光ビームスプリッタ２２０やコリメータレンズ２４０等の対物レンズ２６０及び反射ミラー２５０を除く光学部品は、ハウジング３００に形成される設置部によってハウジングの成型精度で所定位置に接着剤により接着固定され、前記反射ミラー２５０はハウジング３００に接着固定する位置や角度が調整されて、対物レンズ２６０に入射されるレーザ光の光軸を微調整する。すなわち、反射ミラー２５０の取付位置を調整することによりハウジング３００の下端部から光軸の中心までの距離ｈ２の公差分を吸収するように調整され、また、対物レンズ２６０に入射されるレーザ光に傾きが無いように調整される。
【００７３】
図８に、本実施形態における光ピックアップ装置１０００において、リジッド基板部７１０がハウジング３００に装着されている様子を示す。図８に示すように、リジッド基板部７１０の基板開口部７１１は、レーザユニット１００と対面する部分に、レーザユニット１００の樹脂モールド部１３０の上端部１３１を貫通可能に形成されている。そしてレーザユニット１００の樹脂モールド部１３０は、リジッド基板部７１０に形成された基板開口部７１１を貫通している。
【００７４】
またリジッド基板部７１０は、ハウジング３００の底面３０２に相対する面とは反対側の面（すなわち＋Ｚ軸方向に向かう面）にコネクタ７３０を備えている。このコネクタ７３０には、図１にも示したように、メイン基板２０００に接続される制御回路用ＦＰＣ２１００が着脱自在に接続される。
【００７５】
このように、本実施形態に係る光ピックアップ装置１０００は、リジッド基板部７１０を備える構成とすることによって、制御回路用ＦＰＣ２１００を着脱自在に接続可能なコネクタ７３０を搭載することが可能となる。これにより、例えば光ピックアップ装置１０００に接続されるメイン基板２０００が複数種類存在する場合であっても、コネクタ７３０に共通に結合可能な複数種類の制御回路用ＦＰＣ２１００を各メイン基板２０００に合わせて作成しておくことにより、光ピックアップ装置１０００を共通化することが可能となる。これにより、光ピックアップ装置１０００の量産効果により、コストダウンを図ることが可能となる。
【００７６】
また、例えば制御回路用ＦＰＣ２１００が損傷した場合であっても、制御回路用ＦＰＣ２１００のみを交換するだけで、光ピックアップ装置１０００はそのまま使用し続けることができるため、修理作業を容易化できると共に、修理コストも低下させることが可能となる。
【００７７】
なお、ハウジング３００にリジッド基板部７１０を装着する際には、図８に示すように、例えば、ハウジング３００の内壁面に形成されている一対のリジッド基板固定爪３２０にリジッド基板部７１０の端部をそれぞれ合わせ、そのままリジッド基板部７１０をハウジング３００の底面３０２の方向（−Ｚ軸方向）に押し込んで、はめ込むようにする。その後リジッド基板部７１０の上からカバー８００等を装着した後、ビス３０１で固定する。
【００７８】
次に、本実施形態に係るレーザユニット１００の第１端子１４１、第２端子１４２、第３端子１４３を、リジッド基板部７１０の導電路と半田付けする様子を図９に示す。
【００７９】
図９に示すように、本実施形態に係るハウジング３００の底面３０２には、レーザユニット１００の第１端子１４１、第２端子１４２、第３端子１４３を外部から視認し、これらの端子をそれぞれリジッド基板部７１０の導電路に半田付けするためのハウジング開口部３１０が形成されている。
【００８０】
光ピックアップ装置１０００の製造時に、このハウジング開口部３１０を介して、レーザユニット１００の第１端子１４１、第２端子１４２、第３端子１４３に半田付けを行なう。
【００８１】
このように、ハウジング３００の底面３０２にハウジング開口部３１０を設けることにより、レーザユニット１００とリジッド基板部７１０との半田付け作業を容易化することが可能となる。
【００８２】
またレーザユニット１００をリジッド基板部７１０に直接半田付けする構造であるため、図７Ｂ、図７Ｃに示したように、ハウジング３００の下端部からリジッド基板部７１０の上端部までの高さｈ１を抑制することが可能となる。
【００８３】
これにより、リジッド基板を用いてもハウジング３００の高さ方向に高さを増大させないようにすることができるので、スリムタイプ、あるいはウルトラスリムタイプの光ピックアップ装置１０００であっても、リジッド基板を用いることが可能となる。
【００８４】
以上、本実施形態に係る光ピックアップ装置１０００について説明したが、本実施形態に係る光ピックアップ装置１０００によれば、スリムタイプやウルトラスリムタイプのような薄型の光ピックアップ装置においても、リジッド基板を用いることが可能になる。
【００８５】
なお上記実施形態では、リジッド基板部７１０に基板開口部７１１を開口させ、この基板開口部７１１にレーザユニット１００の上端部１３１を貫通させる構成を一例として説明したが、リジッド基板部７１０のハウジング３００の底面３０２に相対する側の面７１２（−Ｚ軸方向を向いた面）が、レーザユニット１００の上端部１３１よりもハウジング３００の底面３０２に近接可能なように構成されていれば、他の構成でもよい。
【００８６】
例えば、リジッド基板部７１０のレーザユニット１００と対面する部分に、レーザユニット１００の上端部１３１が挿入可能なくぼみ（凹部）を形成するようにしてもよい。この場合リジッド基板部７１０は、レーザユニット１００の上端部１３１がこのくぼみに挿入された状態で固定されるようにハウジング３００に装着される。
【００８７】
これにより、レーザユニット１００の上端部１３１がくぼみの内部に入り込んだ分だけ、リジッド基板部７１０をハウジング３００の底面３０２に近接させて装着することが可能になり、光ピックアップ装置１０００を薄型化することが可能になる。
【００８８】
あるいは、リジッド基板部７１０がハウジング３００に装着される際に、レーザユニット１００を迂回するような切れ込み部を、リジッド基板部７１０に形成するようにしてもよい。
【００８９】
このような構成によれば、リジッド基板部７１０とレーザユニット１００とを干渉させることなく、リジッド基板部７１０を、レーザユニット１００の上端部１３１よりもハウジング３００の底面３０２に近接させて装着することが可能となり、光ピックアップ装置１０００を薄型化することが可能になる。
【００９０】
また上記実施形態では、レーザユニット１００の一例として、ＤＶＤ及びＣＤに対応した２波長レーザの場合について説明したが、レーザユニット１００は、青紫色波長帯395nm〜420nmのレーザ光（例えば405nm）を用いたBlu-ray Disc（登録商標）規格にも適合させた３波長レーザでも良いし、それらのうちのいずれか１つあるいは２つに対応した１波長レーザあるいは２波長レーザでも良い。
【００９１】
また上記実施形態では、一例としてスリムタイプ（高さ12.7mm）またはウルトラスリムタイプ（高さ9.5mm）の光ピックアップ装置１０００について説明したが、それ以外の厚さ（例えばより薄型）の光ピックアップ装置１０００であっても良い。
【００９２】
以上、前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【符号の説明】
【００９３】
５        光ディスク
５０      回転軸
１００    レーザユニット
１１０    レーザチップ
１１１    第１レーザダイオード
１１２    第２レーザダイオード
１２０    フレーム部
１３０    樹脂モールド部
１４０    入力端子
１４１    第１端子
１４２    第２端子
１４３    第３端子
１５０    サブマウント
１６０    はんだ
１７０    接着剤
２００    光学部品
２１０    複合光学素子
２１１    １／２波長板
２１２    回折格子
２２０    偏光ビームスプリッタ
２３０    １／４波長板
２４０    コリメートレンズ
２５０    反射ミラー
２６０    対物レンズ
２７０    ＡＳ板
２８０    光検出器
２９０    フロントモニタ受光検出器
３００    ハウジング
３０１    ビス
３１０    ハウジング開口部
３２０    リジッド基板固定爪
４００    対物レンズ駆動装置
４１０    アクチュエータ
４２０    レンズホルダ
５００    第１放熱板
６００    第２放熱板
７００    プリント基板
７１０    リジッド基板部
７１１    基板開口部
７２０    フレキシブル基板部
７３０    コネクタ
８００    カバー
１０００  光ピックアップ装置
２０００  メイン基板
２１００  制御回路用ＦＰＣ
【図１】
2015167056.tif 000003
【図２】
2015167056.tif 000004
【図３】
2015167056.tif 000005
【図４】
2015167056.tif 000006
【図５】
2015167056.tif 000007
【図６】
2015167056.tif 000008
【図７Ａ】
2015167056.tif 000009
【図７Ｂ】
2015167056.tif 000010
【図７Ｃ】
2015167056.tif 000011
【図８】
2015167056.tif 000012
【図９】
2015167056.tif 000013